(57)【特許請求の範囲】
【請求項１】
方形枠状の機枠と、該機枠の一側縁に開閉可能に軸支された本体枠と、該本体枠に着脱自在に固定される遊技盤と、該遊技盤の前面を覆うように前記本体枠の一側縁に開閉可能に軸支された透明板保持枠とを具備した遊技機において、
前記遊技盤の上部であって前記透明板保持枠の軸支部と同じ側の一側縁に第１ヒンジ部を設け、該第１ヒンジ部により水平面内で回転可能なるように役物支持部材を支持して該役物支持部材が前記透明板保持枠の上部に配設されるようにするとともに、該役物支持部材に第２ヒンジ部を設けて該第２ヒンジ部により演出用の役物装置を鉛直面内で回転可能なるように支持し、該役物装置を該第２ヒンジ部にて回転させて前記透明板保持枠の上部に覆い被さるようにすることで該役物装置が該遊技機の前面上部に前方突出状に設けられるようにしたことを特徴とする遊技機。
【請求項２】
前記遊技盤の上部前面に前記役物装置と該遊技盤とを互いに閉状態に係合させる第１係合手段を設けたことを特徴とする請求項１に記載した遊技機。
【請求項３】
方形枠状の機枠と、該機枠の一側縁に開閉可能に軸支された本体枠と、該本体枠に着脱自在に固定される遊技盤と、該遊技盤の前面を覆うように前記本体枠の一側縁に開閉可能に軸支された透明板保持枠とを具備した遊技機において、
前記遊技盤の上部一側縁に前記透明板保持枠の軸支部と同軸上に配置される第１ヒンジ部を設け、該第１ヒンジ部により水平面内で回転可能なるように役物支持部材を支持して該役物支持部材が前記透明板保持枠の上部に配設されるようにするとともに、該役物支持部材に第２ヒンジ部を設けて該第２ヒンジ部により演出用の役物装置を鉛直面内で回転可能なるように支持し、該役物装置を該第２ヒンジ部にて回転させて前記透明板保持枠の上部に覆い被さるようにすることで該役物装置が該遊技機の前面上部に前方突出状に設けられ、前記透明板保持枠を開閉する際に前記役物支持部材が前記第１ヒンジ部にて回転することで前記役物装置が該透明板保持枠と一緒に回転するようにしたことを特徴とする遊技機。
【請求項４】
前記役物支持部材の裏面と前記遊技盤の上部前面に該役物支持部材と遊技盤とを互いに閉状態に係合させる第１係合手段を設けるとともに、該遊技盤を本体枠に固定した際に該第１係合手段が係合状態とならないようにする係合阻止部材を前記本体枠の上部前面に設けたことを特徴とする請求項３に記載した遊技機。
【請求項５】
前記役物支持部材に前記役物装置を回転不能にする第２係合手段を設け、該第２係合手段を係合することで前記役物装置が前方突出状に保持されるようにしたことを特徴とする請求項３または４に記載した遊技機。
【請求項６】
前記透明板保持枠の上縁部に前記役物装置と係合する第３係合手段を設け、該第３係合手段を係合させることで該役物装置が前方突出状に保持されるようにしたことを特徴とする請求項３〜５のいずれかに記載した遊技機。
【発明の詳細な説明】
【技術分野】
【０００１】
本発明は、パチンコ，アレンジボール，雀球等の遊技球が転動可能な遊技領域を有する遊技盤を備えた遊技機に関し、特には、上部に前方へ大きく突出する演出用の大型の役物装置を設けた遊技機に関するものである。
【背景技術】
【０００２】
一般にパチンコ遊技機は、縦長の方形枠状の機枠（外枠）の一側縁に本体枠（遊技盤取付枠）が開閉可能に軸支され、該本体枠に遊技盤が着脱自在に固定され、該本体枠の一側縁に該遊技盤の前面を覆う透明板保持枠が開閉可能に軸支されている。
ところで、パチンコホールに設置された遊技機を新しい機種に変更する場合、機枠ごと（遊技機全体）を交換する場合と、リサイクル性や経済性の観点から機枠、本体枠、および透明板保持枠はそのまま利用し、遊技盤とその裏面に一体的に設けられた遊技制御基板だけを交換する場合とがある。しかし、遊技盤と遊技制御基板を交換しても、前面の透明板保持枠は交換されないことから、遊技機全体としてかわり映えがしないという問題があった。
【０００３】
一方、下記特許文献１に示された遊技機は、その図中の符号を引用して説明すると、遊技盤６の上縁部より前方に突出するように演出装置１２が固設され、透明板保持枠５の上縁に形成された切欠部５ｂから該演出装置１２が遊技機前面に露出するように構成されている。また、下記特許文献２に示された遊技機は、透明板保持枠８の上縁に透明性を有する透明収納部６２が前方に膨出した形状で形成され、遊技盤６の上縁部に前方に突出するように演出装置１２が固設された回転灯装置１０１等の演出役物が該透明収納部６２に内在するよう構成されている。
これらの遊技機では、遊技盤６を交換することにより、演出装置１２、回転灯装置１０１等の演出役物も交換されるために、遊技盤面だけでなく透明板保持枠の一部の視野も同時に変えられるといった利点がある。
【先行技術文献】
【特許文献】
【０００４】
【特許文献１】特開２０１０−２１３７９４号公報
【特許文献２】特許第５４３９１４２号公報
【発明の概要】
【発明が解決しようとする課題】
【０００５】
ところで、パチンコ遊技機において、インパクトのある演出をするために、可動する役物装置、或いは、煌びやかな光による演出装置等を大型化することが要望されるが、特許文献１に示された遊技機は、透明板保持枠５は遊技中に発生した遊技盤面の球詰まり等に対処できるようにするために開閉可能に設けられている一方、演出装置１２は遊技盤６に固定的に設けられているので、該演出装置１２を透明板保持枠５の前面側まではみ出して形成すると、透明板保持枠５を開閉できなくなるといった設計上の制約を受けることとなり、演出効果を高めようとしても演出装置１２を大型化することができないという問題がある。
【０００６】
また、特許文献２に示された遊技機は、演出役物が透明板保持枠８の透明収納部６２内に収容し得る大きさのものに限定され、自由なデザインを採ることができないので、遊技盤６を交換しても遊技機全体を大きなインパクトのあるものに改変できないといった問題がある。
【課題を解決するための手段】
【０００７】
本発明は上記問題点を解決しようとするもので、方形枠状の機枠と、該機枠の一側縁に開閉可能に軸支された本体枠と、該本体枠に着脱自在に固定される遊技盤と、該遊技盤の前面を覆うように前記本体枠の一側縁に開閉可能に軸支された透明板保持枠とを具備した遊技機において、前記遊技盤の上部に演出用の役物装置を鉛直面内で回転可能なるように支持し、該役物装置を回転させて該役物装置が前記透明板保持枠の上部に覆い被さるようにすることで該役物装置が該遊技機の前面上部に前方突出状に設けられるようにしたことを特徴とする。
このように役物装置を支持することにより、インパクトのある大型の役物装置を透明板保持枠の前面に亘って配置することができるとともに、該役物装置は遊技盤と同時に交換されるので改変が顕著になる。
また本発明は上記遊技機において、前記遊技盤の上部前面に前記役物装置と該遊技盤とを互いに閉状態に係合させる第１係合手段を設けたことを特徴とする。
このため、遊技盤と役物装置とは一体的となり、持ち運ぶのが便利となり、移送時の取り扱いが容易になる。
【０００８】
また、本発明は、方形枠状の機枠と、該機枠の一側縁に開閉可能に軸支された本体枠と、該本体枠に着脱自在に固定される遊技盤と、該遊技盤の前面を覆うように前記本体枠の一側縁に開閉可能に軸支された透明板保持枠とを具備した遊技機において、前記遊技盤の上部一側縁に前記透明板保持枠の軸支部と同軸上に配置される第１ヒンジ部を設け、該第１ヒンジ部により水平面内で回転可能なるように役物支持部材を支持して該役物支持部材が前記透明板保持枠の上部に配設されるようにするとともに、該役物支持部材に第２ヒンジ部を設けて該第２ヒンジ部により演出用の役物装置を鉛直面内で回転可能なるように支持し、該役物装置を該第２ヒンジ部にて回転させて前記透明板保持枠の上部に覆い被さるようにすることで該役物装置が該遊技機の前面上部に前方突出状に設けられ、前記透明板保持枠を開閉する際に前記役物支持部材が前記第１ヒンジ部にて回転することで前記役物装置が該透明板保持枠と一緒に回転するようにしたことを特徴とする。
こうすることにより、遊技機前面に突出する役物装置が邪魔になることなく透明板保持枠と共に役物装置を開閉することができる。このため、遊技中に遊技盤面上で球詰まりが発生したとき等に支障なく透明板保持枠を開けて対処し得る。
【０００９】
また本発明は上記遊技機において、前記役物支持部材の裏面と前記遊技盤の上部前面に該役物支持部材と遊技盤とを互いに閉状態に係合させる第１係合手段を設けるとともに、該遊技盤を本体枠に固定した際に該第１係合手段が係合状態とならないようにする係合阻止部材を前記本体枠の上部前面に設けたことを特徴とする。
このため、第１係合手段により役物支持部材と遊技盤とを係合状態にでき（第１係合手段があっても）役物装置と遊技盤とを一体的に持ち運ぶのに便利であるとともに、遊技盤を本体枠に固定した際は該第１係合手段が係合状態とならないことから、透明板保持枠を役物装置と一緒に回転させることが可能となる。
【００１０】
また本発明は上記遊技機において、前記役物支持部材に前記役物装置を回転不能にする第２係合手段を設け、該第２係合手段を係合することで前記役物装置が前方突出状に保持されるようにしたことを特徴とする。
このため、透明板保持枠を開けることなく役物装置が回転され、不正行為がされるようなことを防止できる。
【００１１】
また本発明は上記遊技機において、前記透明板保持枠の上縁部に前記役物装置と係合する第３係合手段を設け、該第３係合手段を係合させることで該役物装置が前方突出状に保持されるようにしたことを特徴とする。
この第３係合手段による係合により役物装置が透明板保持枠の上縁部に覆い被さる状態でロックされ、役物装置を無用に或いは不正を目的とし上方にはね上げることができなくなり、不正行為が防止される。
【発明の効果】
【００１２】
本発明によれば、インパクトのある大型の役物装置が備え付けられるとともに、遊技盤を交換すると同時に該役物装置も交換され、経済性を損なうことなく低コストで遊技機全体の印象を大きく変えることができるので、新台に対する遊技者の期待がより高められる。
【図面の簡単な説明】
【００１３】
【図１】本発明に係る遊技機の斜視図。
【図２】本発明に係る遊技機の機枠の斜視図。
【図３】本発明に係る遊技機の本体枠の斜視図。
【図４】本発明に係る遊技機の遊技盤の斜視図。
【図５】本発明に係る遊技機の役物装置の斜視図。
【図６】図５の役物装置の裏面の斜視図。
【図７】本発明に係る遊技機の役物装置を設けた遊技盤の斜視図。
【図８】図７の遊技盤の右側面図。
【図９】図８のＡ−Ａ線断面図。
【図１０】本発明に係る遊技機の役物装置を設けた遊技盤の斜視図。
【図１１】図１０の遊技盤の右側面図。
【図１２】本発明に係る遊技機の第１係合手段を示す要部の水平断面図。
【図１３】図１２の作動状態図。
【図１４】図１２の作動状態図。
【図１５】本発明に係る遊技機の第２ヒンジ部の取付状態を示す部分断面側面図。
【図１６】本発明に係る遊技機の第２ヒンジ部の斜視図。
【図１７】本発明に係る遊技機の第２ヒンジ部の作動状態を示した斜視図。
【図１８】本発明に係る遊技機の第２ヒンジ部の作動状態を示した斜視図。
【図１９】本発明に係る遊技機の役物装置を設けた遊技盤の斜視図。
【図２０】図１９の遊技盤の右側面図。
【図２１】本発明に係る遊技機の透明板保持枠の斜視図。
【図２２】本発明に係る遊技機の透明板保持枠を取着した本体枠と遊技盤の斜視図。
【図２３】本発明に係る遊技機の透明板保持枠を開いたときの斜視図。
【図２４】本発明に係る遊技機の透明板保持枠を開き役物装置をはね上げたときの斜視図。
【図２５】本発明に係る遊技機の透明板保持枠と役物装置を開いたときの斜視図。
【図２６】本発明に係る遊技機の正面図。
【図２７】図２６の遊技機の中央縦断面側面図。
【図２８】本発明に係る遊技機の透明板保持枠と役物装置とを一緒に開いたときの斜視図。
【図２９】本発明の他の実施形態を示す役物装置を設けた遊技盤の斜視図。
【発明を実施するための形態】
【００１４】
次に本発明の実施形態を図面に従い説明する。本発明に係る遊技機は、縦長方形枠状の機枠１０と、該機枠１０の一側縁に開閉可能に軸支された本体枠２０と、該本体枠２０に着脱自在に固定される遊技盤４０と、該遊技盤４０の前面を覆うように前記本体枠２０の一側縁に開閉可能に軸支された透明板保持枠７０とを備えている。なお、図１は、透明板保持枠７０の前面下部に球受皿７１、打球発射用操作ハンドル７２、等が設けられ、遊技盤４０の前面には打球誘導レール４１、液晶ディスプレイ４２、入賞装置４３、等の機種に応じた様々な形状にデザインされた部品が取着された状態を示すが、図２以降の図面ではこれらの部品や打球発射装置、球払出装置、景品球タンク、遊技制御回路基板ボックス、電飾装置、スピーカ等の公知の部品が未だ取着されていない状態を示す。
【００１５】
機枠１０は、図２に示したように、アルミ型材と木板とにより方形枠状に組み立てられていて、その下縁部前面に定幅板状の腰板１１が固設され、該機枠１０の一側縁の上下部に相対するように支軸１２ａ，１２ｂが突設されている。また、前記腰板１１上に導電端子１３が設けられている。機枠１０の上縁部内側にはストッパ１４が設けられている。
本体枠２０は、鋼板とプラスチックとにより前記機枠１０内に入り得る大きさの略方形枠状に組み立てられるもので、図３に示したように、一側縁の上端部に前記支軸１２ａが遊嵌する軸受片２１ａを設け、下端部に前記支軸１２ｂが遊嵌する軸受片２１ｂを設け、該軸受片２１ｂ上にさらに支軸２２を突設し、前記軸受片２１ａから少し間隔を離した直下にさらに軸受片２３を突設する。該本体枠２０の下部には打球発射装置（図示せず）等が取着されるスペース２４を設けている。そして、軸受片２１ａに前記支軸１２ａを遊嵌し、軸受片２１ｂに前記支軸１２ｂを遊嵌することにより、該本体枠２０は機枠１０に対し水平面内で回転自在にして開閉可能に組付けられる。また、該本体枠２０の下部の他側縁寄りにシリンダ錠２５を設け、該シリンダ錠２５を回転操作することにより背面に突設された鈎状片２６ａ，２６ｂが上下動し、該鈎状片２６ａ，２６ｂが前記機枠１０の内側縁に固設された係合部（図示省略する）に係脱する。また、該シリンダ錠２５を回転操作することによっては該本体枠２０の前面に突設された鈎状片２７ａ，２７ｂ、および鈎状片２７ｃも上下動し、該鈎状片２７ａ，２７ｂは透明板保持枠７０の裏面に設けられた係合部（図示省略する）に係脱し、鈎状片２７ｃは後述する役物支持部材５０に係脱する。
【００１６】
また、本体枠２０の内周縁に遊技盤４０を着脱自在に固定し得るようにするための、スライドシュー２８ａ、挟着片２８ｂ、位置決ピン２９、クランプ装置３０、および締付部材３１等が設けられる。スライドシュー２８ａと挟着片２８ｂとはその間に遊技盤４０の一側縁が進入し得るように該遊技盤４０の厚さと同じ間隔を離して設けられる。位置決ピン２９は板部２９ａに前方に突出するように形成される。クランプ装置３０は、遊技盤４０の下側縁が遊嵌し得るコ字状のクランプを鉛直面内で回転可能なるように軸支してなる。締付部材３１は、止軸３１ａに回転自在に軸支され、ツマミ部３１ｂに手を掛けて回転することにより遊技盤４０を前面から締付し得る。また、本体枠２０の上部前面に平面視直角三角形状の係合阻止部材３２を突設している。また、該係合阻止部材３２に隣接するように開閉検知スイッチ３３が設けられている。
【００１７】
遊技盤４０は、図４に示したように、プラスチック製の略正方形の板体４４の上部に板金製の組付部材４５をビス止し、該組付部材４５の一側縁に第１ヒンジ部４６となる支軸４６ａを鉛直に固設し、該組付部材４５の他側縁寄りには前記係合阻止部材３２が貫通し得る開口４７を形成し、該開口４７と隣り合うように該組付部材４５の前面に該開口４７側縁が開口した箱状の係合部材４８を固設している。なお、該遊技盤４０の前面には前述したように打球誘導レール４１の他、液晶ディスプレイ、入賞装置、等の盤面部品が取着される。
【００１８】
次に、前記第１ヒンジ部４６を介して水平面内で回転可能なるように該遊技盤４０に設けられる役物支持部材５０、および、該役物支持部材５０に第２ヒンジ部５２を介して鉛直面内で回転可能なるように支持される演出用の役物装置５３を説明する。役物支持部材５０は、板金製であって下縁面が前記透明板保持枠７０の上端面に沿う略円弧状に形成された細幅板状の第１支持部材５０ａと、該第１支持部材５０ａより幅広の板状であり下縁面が円弧状に形成された第２支持部材５０ｂとからなり、該第１支持部材５０ａは、一側縁に前記支軸４６ａを軸支する軸受片４６ｂを設けることにより前記第１ヒンジ部４６を構成する。このため、該第１支持部材５０ａは、該第１ヒンジ部４６によって遊技盤４０の上部一側縁に水平面内で回転可能なるように支持される。また、該第１支持部材５０ａの前面の２箇所に第２ヒンジ部５２となる図１６〜図１８に示した連結部材５２ａ，５２ｂが設けられ、該第２ヒンジ部５２を介して第２支持部材５０ｂが鉛直面内で回転自在なるように取着される。そして該第２支持部材５０ｂの前面に役物装置５３を止金とビスとからなる止着部材５４により固着することにより、該役物装置５３を鉛直面内で回転可能なるように支持する。なお、この実施形態に示した役物装置５３は、高さ方向に十分な厚さがあり内容量の大きい平面視台形状のプラスチック製ケースにて示され、該ケース内に機種に応じて様々な形態の演出用役物（例えば、ケース内からキャラクター等を電動で出没させるもの）が収容される。
【００１９】
また、第１支持部材５０ａと前記組付部材４５との相対面に、第１係合手段５５を設け、該第１係合手段５５により役物装置５３と遊技盤４０とが閉状態（回転不能）に係合し得るようにする。即ち、図１２に示したように、第１支持部材５０ａに固設した横長筒体５５ａ内に係合片５５ｂを圧縮状のコイルバネ５５ｃの弾性によりスライド可能に付勢して設け、該係合片５５ｂの一端部の裏側面にクサビ状部５５ｄを形成し、閉状態にしたとき図１３に示したように該クサビ状部５５ｄが前記係合部材４８に係合し、コイルバネ５５ｃの弾性によりその係合状態が維持されるようにしている。該係合片５５ｂの他端部にはつまみ部５５ｅを形成している。一方、遊技盤４０を前記本体枠２０に固定すると、図１４に示したように、前記係合阻止部材３２が開口４７を貫通して該クサビ状部５５ｄに当接し、該係合片５５ｂをコイルバネ５５ｃの弾性に抗して反対側にスライドさせることから、該クサビ状部５５ｄは係合部材４８に係合しない状態となる。即ち、該第１係合手段５５は、遊技盤４０を本体枠２０に固定したとき係合阻止部材３２が開口４７から突出し、該係合阻止部材３２が係合片５５ｂをスライドさせることにより、役物支持部材５０と遊技盤４０との係合を解除させるよう構成されている。
【００２０】
次に第２ヒンジ部５２となる一対の連結部材５２ａ，５２ｂの構成を図１５〜図１８に従い説明する。該連結部材５２ａ，５２ｂは、横断面Ｌ形の取付部材５６ａと、横断面Ｌ形の取付部材５６ｆと、リンク材５６ｃと、リンク材５６ｅとからなり、一方の取付部材５６ａは前記第１支持部材５０ａにビス止され、該取付部材５６ａにピン５６ｂを介してリンク材５６ｃを枢着するとともにピン５６ｄを介してリンク材５６ｅを枢着している。また、他方の取付部材５６ｆは第２支持部材５０ｂにビス止され、該取付部材５６ｆにピン５６ｇを介してリンク材５６ｃを枢着するとともにピン５６ｉを介してリンク材５６ｅを枢着している。これにより、ピン５６ｂ，ピン５６ｄ，ピン５６ｇ，ピン５６ｉを交点とする非平行なる四辺形が形成され、リンク材５６ｃとリンク材５６ｅとが取付部材５６ａと取付部材５６ｆとを連結する。このため連結部材５２ａ，５２ｂは、図１５，図１６に示したように取付部材５６ａと取付部材５６ｆとが平行な状態、および、図１７，図１８に示したように取付部材５６ａと取付部材５６ｆとが直交する状態に変化し得る。また、前記リンク材５６ｃに頭付ピン５６ｋを固植し、鈎状片５６ｍに形成された長孔５６ｎに該頭付ピン５６ｋを遊嵌することにより、該鈎状片５６ｍを該リンク材５６ｃの長手方向に摺動自在なるように支持し、引張バネ５６ｐの一端を該鈎状片５６ｍに引っ掛け、他端をリンク材５６ｃに引っ掛けることにより、該鈎状片５６ｍを上向に付勢してなる。そして、図１５に示したように第１支持部材５０ａに該鈎状片５６ｍの先端鈎部５６ｒが係合し得る第２係合孔５０ｃを形成し、該鈎状片５６ｍと第２係合孔５０ｃとにより第２係合手段５６が構成され、第２支持部材５０ｂを第１支持部材５０ａと平行にしたとき該鈎状片５６ｍが該第２係合孔５０ｃに係合し、前記引張バネ５６ｐの弾性によりその係合状態が保持されるようにしている。なお、取付部材５６ｆに設けられた板バネ５６ｑは、鈎状片５６ｍに当接し引張バネ５６ｐと同等にこの係合状態を保持する。このように第２係合手段５６は、第１支持部材５０ａと第２支持部材５０ｂとを係合させ、役物装置５３を回転不能にすることにより、該役物装置５３が無用にはね上げられることのないようにする。なお、第２ヒンジ部５２としてこのように複数のリンク材とピンとからなる連結部材５２ａ，５２ｂを採用したことで、第２支持部材５０ｂを第１支持部材５０ａに対して開閉する際に、お互いの上縁部が接触することが防止される。
【００２１】
なお、図６に示したように役物装置５３が固着されている第２支持部材５０ｂは、第１支持部材５０ａよりも幅広に形成されており、該第１支持部材５０ａよりも下方に垂下した該第２支持部材５０ｂの下半部に一対の長孔状の第３係合孔５７ａ，５７ｂが形成されている。また、該第２支持部材５０ｂの下半部には複数の位置決孔５８も形成されている。また、図１１にも示されるように、役物装置５３の背側下縁部５３ｂは該第２支持部材５０ｂの下縁部よりも後方に突出する段差状に形成されていることから、該役物装置５３の背面に該第２支持部材５０ｂを溝底とする円弧状溝部５３ｃが形成される。
なお、第１支持部材５０ａの第１ヒンジ部４６と反対側端部に前記鈎状片２７ｃが係合し得る係合溝６０が形成されている。また、該第１支持部材５０ａの係合溝６０付近にＬ字形のスリット６１が形成され、該スリット６１中に上下にスライド可能にロック部材６２が設けられ、該ロック部材６２を上下動させることで該ロック部材６２の下端が該第１支持部材５０ａより下方に出没し、該下端が後述する透明板保持枠７０の前方突状部８１ｂに嵌着し得る。
【００２２】
前記球受皿７１、打球発射用操作ハンドル７２等が前面下部に設けられる透明板保持枠７０は、図２１に示したように、中央に透明板７３が保持され、一側縁の上部に前記軸受片２３に対し下側から遊嵌する支軸７４が設けられ、一側縁の下部には前記支軸２２が遊嵌する軸受片７５が設けられる。また該透明板保持枠７０の上辺部７６の前面に前記位置決孔５８に合致し得る複数の位置決ピン７７を突設するとともに、前記第３係合孔５７ａ，５７ｂと係合し得る第３係合手段７８ａ，７８ｂを設けている。該第３係合手段７８ａ，７８ｂは、該上辺部７６に形成した長孔７９中に係合片８０をスライド可能に設けてなる。また該透明板保持枠７０の両肩部に表面が役物装置５３の両端部と滑らかな形状に連なり得るように前方突状部８１ａ，８１ｂが形成され、該前方突状部８１ａ，８１ｂから下方にも表面が滑らかに連なるように図１に示した前方張出部８２ａ，８２ｂが該透明板保持枠７０の前面両側縁に固着される。なお、該前方突状部８１ｂの上面に前記ロック部材６２の下端が嵌着し得る嵌合孔６３が形成されている。
そして、該透明板保持枠７０は、支軸７４を軸受片２３に、軸受片７５を支軸２２に軸支することにより、前記本体枠２０の前面に取着され、該透明板保持枠７０の裏面に設けられた係合部に前記鈎状片２７ａ，２７ｂが係合することにより閉止され、前記シリンダ錠２５によって開閉操作し得る。
【００２３】
こうして、機枠１０に本体枠２０を取着し該本体枠２０に透明板保持枠７０を取着してなる遊技機本体１と、前記役物装置５３が取着された遊技盤４０とをそれぞれ図２２に示す。この状態では前記第１係合手段５５の係合片５５ｂが係合部材４８に係合することで遊技盤４０と役物装置５３とは互いに閉状態で連結された状態にある。このため、遊技盤４０と役物装置５３とは一体的となり、移送時の取り扱いが容易になる。このように役物装置５３が取着された遊技盤４０を遊技機本体１に装着するに際しては、該役物装置５３と透明板保持枠７０とが干渉し、該透明板保持枠７０が開閉できなくなることがないようにしなければならないが、そのための遊技盤４０の装着手順を次に説明する。先ず、透明板保持枠７０を開状態にして、遊技盤４０の一側縁を前記スライドシュー２８ａと挟着片２８ｂの間に挿入し、クランプ装置３０に該遊技盤４０の下側縁を遊嵌するとともに、前記第１ヒンジ部４６を前記支軸１２ａと軸受片２３との間に挿入することで、該遊技盤４０を本体枠２０内の定位置に挿入した後、締付部材３１によって遊技盤４０を締付固定し、図２３に示した状態とする。なおこのように遊技盤４０を固定することによっては、図１４に示したように前記係合阻止部材３２によって第１係合手段５５の係合片５５ｂと係合部材４８との係合が解除される。また、第１支持部材５０ａの係合溝６０に鈎状片２７ｃが係合する。
【００２４】
そこで、前記シリンダ錠２５を操作して鈎状片２７ｃと第１支持部材５０ａとの係合を解除し、第１ヒンジ部４６を支点として役物装置５３を役物支持部材５０とともに前方に回転させる。次いで、前記連結部材５２ａ，５２ｂに設けられた第２係合手段５６を係合解除し、図２４に示したように役物装置５３を上方にはね上げる。即ち、鈎状片５６ｍの先端鈎部５６ｒを第２係合孔５０ｃから離脱させ、該連結部材５２ａ，５２ｂを図１６に示した状態から図１７、図１８に示したように旋回動することにより、第２支持部材５０ｂを役物装置５３とともに鉛直面内で回転させ該役物装置５３を図２４に示したように上方にはね上げる。これにより該役物装置５３が邪魔になることなく透明板保持枠７０を図２４に示したように第１支持部材５０ａの奥側に回転することができる。次いで、該役物装置５３をはね上げ状態から図２５に示したように元に戻し、前記鈎状片５６ｍの先端鈎部５６ｒを第２係合孔５０ｃに再係合させる。そして、透明板保持枠７０の裏側から第３係合手段７８ａ，７８ｂである係合片８０をスライド操作し、該係合片８０を第３係合孔５７ａ，５７ｂに係合させる。また、前記ロック部材６２を操作してその下端を嵌合孔６３に嵌合させる。これにより図２８に示したように該役物装置５３は透明板保持枠７０の上縁部に固定される。このとき位置決ピン７７は位置決孔５８に合致する。そして図１５に示したように透明板保持枠７０の上辺部７６は円弧状溝部５３ｃに合致し、該役物装置５３は該透明板保持枠７０の上辺部７６に前面から覆い被さるような形態となる。そして該透明板保持枠７０を閉じることにより、役物装置５３は該透明板保持枠７０と一緒に一体的に閉じられ、図２６、図２７に示したように該遊技機の上部にて遊技者の頭上に達する程度にまで前方へ大きく突出した状態となる。このように役物装置５３は、遊技機の上部にて前方へ突出した状態で設けられるので、十分なスペースがあり、大型の演出用機材を設けることができ、この大型でインパクトのある役物装置５３によりこの遊技盤の演出効果を格別に高めることができる。
なお、遊技盤４０を交換することにより同時にこの役物装置５３も交換されるので、経済性を損なうことなく低コストで遊技機全体の印象を大きく変えることができる。
【００２５】
このように役物装置５３は、透明板保持枠７０の上辺部７６に前面から覆い被さるような形態に設けられるが、役物支持部材５０および第１ヒンジ部４６を介して遊技盤４０と連結されており、該透明板保持枠７０と一緒に開閉し得る。このため、遊技中に球詰まり等が発生し、シリンダ錠２５を回転操作し透明板保持枠７０を開ける際に該役物装置５３が邪魔になることはない。
【００２６】
なお、第１係合手段５５は遊技盤４０を本体枠２０に固定した際には係合状態とならず、本体枠２０に固定していないときに図２２に示したように遊技盤４０と役物装置５３とを互いに閉状態に係合させるので、該遊技盤４０と役物装置５３とを一体的に移送することができるとともに、遊技盤４０を本体枠２０に固定した状態で役物装置５３と透明板保持枠７０とは一緒に回転し透明板保持枠７０を開閉することが可能となる。
また、第２係合手段５６は、役物装置５３をはね上げできないように保持するので、透明板保持枠７０を開けることなく役物装置５３がはね上げられてしまい、隙間から不正行為がなされるようなことを防止する。
また、透明板保持枠７０と役物装置５３とは第３係合手段７８ａ，７８ｂにより係合され、役物装置５３が透明板保持枠７０の上辺部７６に覆い被さる状態で保持されるので、役物装置５３を無用に上方にはね上げることはできなくなり、不正行為が防止される。また、役物装置５３が透明板保持枠７０の上辺部７６に覆い被さることで、隙間を無くすことができるので、不正目的で針金等を遊技機内に侵入させるといった行為も防止される。即ち、透明板保持枠７０の上辺部７６が役物装置５３の円弧状溝部５３ｃに合致することで、より確実に針金等の侵入を防止することができる。
なお、本発明の構成を採用することによって、図２６〜図２７にも示したように、役物装置５３が透明板保持枠７０の上辺部７６に覆い被さり、該役物装置５３の背側下縁部５３ｂを透明板７３の前面に位置させることができるので、役物装置５３を大型化できるとともに、該背側下縁部５３ｂは該役物装置５３の下にある遊技中の遊技者の視線を邪魔しないので、遊技者は遊技盤４０の遊技領域を上縁部まで広く視認することができる。このため奥行のある視界が確保される。
【００２７】
なお、この実施形態では、役物支持部材５０を遊技盤４０に第１ヒンジ部４６を介して取着したが、第１ヒンジ部４６を介することなく、図２９に示したように、遊技盤４０の上部に役物支持部材５０の第１支持部材５０ａを直接固着することにより該役物支持部材５０によって役物装置５３を鉛直面内で回転可能なるように支持し、該役物装置５３を回転させて該役物装置５３が透明板保持枠７０の上縁部に覆い被さるようにすることで、該役物装置５３が該遊技機の前面上部に前方突出状に設けられるようにしてもよい。こうすることによっては、役物装置５３をいったん上方にはね上げることにより、該役物装置５３が邪魔になることなく透明板保持枠７０を開閉することが可能となるので、遊技盤面上で球詰まりが発生したとき等に対処し得る。また、このように役物装置５３を遊技盤４０の上部に直接固着した場合でも、前記鈎状片２７ｃを係合溝６０に係合させることにより、シリンダ錠２５を操作しない限り役物装置５３を無用にはね上げることができなくなるので、不正行為を防止することができる。
【符号の説明】
【００２８】
１…遊技機本体、    １０…機枠、    １１…腰板、    １２ａ，１２ｂ…支軸、    １３…導電端子、    １４…ストッパ、    ２０…本体枠、    ２１ａ，２１ｂ…軸受片、    ２２…支軸、    ２３…軸受片、    ２４…スペース、    ２５…シリンダ錠、    ２６ａ，２６ｂ…鈎状片、    ２７ａ，２７ｂ，２７ｃ…鈎状片、    ２８ａ…スライドシュー、    ２８ｂ…挟着片、    ２９…位置決ピン、    ３０…クランプ装置、    ３１…締付部材、    ３１ａ…止軸、    ３１ｂ…ツマミ部、    ３２…係合阻止部材、    ３３…開閉検知スイッチ、    ４０…遊技盤、    ４１…打球誘導レール、    ４２…液晶ディスプレイ、    ４３…入賞装置、    ４４…板体、    ４５…組付部材、    ４６…第１ヒンジ部、    ４６ａ…支軸、    ４７…開口、    ４８…係合部材、    ５０…役物支持部材、    ５０ａ…第１支持部材、    ５０ｂ…第２支持部材、    ５２…第２ヒンジ部、    ５２ａ，５２ｂ…連結部材、    ５３…役物装置、    ５３ｂ…背側下縁部、    ５３ｃ…円弧状溝部、    ５４…止着部材、    ５５…第１係合手段、    ５５ａ…横長筒体、    ５５ｂ…係合片、    ５５ｃ…コイルバネ、    ５５ｄ…クサビ状部、    ５５ｅ…つまみ部、    ５６…第２係合手段、    ５６ａ，５６ｆ…取付部材、    ５６ｃ，５６ｅ…リンク材、    ５６ｂ，５６ｄ，５６ｇ，５６ｉ…ピン、    ５６ｋ…頭付ピン、    ５６ｍ…鈎状片、    ５６ｎ…長孔、    ５６ｐ…引張バネ、    ５６ｒ…先端鈎部、    ５６ｑ…板バネ、    ５７ａ，５７ｂ…第３係合孔、    ５８…位置決孔、    ６０…係合溝、    ６１…スリット、    ６２…ロック部材、    ６３…嵌合孔、    ７０…透明板保持枠、    ７１…球受皿、    ７２…打球発射用操作ハンドル、    ７３…透明板、    ７４…支軸、    ７５…軸受片、    ７６…上辺部、    ７７…位置決ピン、    ７８ａ，７８ｂ…第３係合手段、    ７９…長孔、    ８０…係合片、    ８１ａ，８１ｂ…前方突状部、    ８２ａ，８２ｂ…前方張出部
【図１】
0006695106.tif 000002
【図２】
0006695106.tif 000003
【図３】
0006695106.tif 000004
【図４】
0006695106.tif 000005
【図５】
0006695106.tif 000006
【図６】
0006695106.tif 000007
【図７】
0006695106.tif 000008
【図８】
0006695106.tif 000009
【図９】
0006695106.tif 000010
【図１０】
0006695106.tif 000011
【図１１】
0006695106.tif 000012
【図１２】
0006695106.tif 000013
【図１３】
0006695106.tif 000014
【図１４】
0006695106.tif 000015
【図１５】
0006695106.tif 000016
【図１６】
0006695106.tif 000017
【図１７】
0006695106.tif 000018
【図１８】
0006695106.tif 000019
【図１９】
0006695106.tif 000020
【図２０】
0006695106.tif 000021
【図２１】
0006695106.tif 000022
【図２２】
0006695106.tif 000023
【図２３】
0006695106.tif 000024
【図２４】
0006695106.tif 000025
【図２５】
0006695106.tif 000026
【図２６】
0006695106.tif 000027
【図２７】
0006695106.tif 000028
【図２８】
0006695106.tif 000029
【図２９】
0006695106.tif 000030